(57)【要約】【課題】金網フェンスに標識などを取り付ける際に、金網フェンスの表側からのみの作業により容易にその取り付けを行うことを可能とする標識等取付補助具を提供する。【解決手段】標識や掲示板などの標識等（１）を金網フェンス（３）に取り付けるための薄板略円盤形状の標識等取付補助具（１０）であって、ナット穴（１２）が設けられた補助具本体中心部（１４）と、該補助具本体中心部から周方向に同じ向きで伸長する複数の翼部（１６）と、を有する補助具本体（１８）と、前記ナット穴に螺合されるボルト（３２）と、からなり、前記各翼部はその先端から金網フェンスの網目に差し込まれることで金網フェンスに掛け止められ、前記ボルトは標識等に設けた取付孔（５）を通して前記ナット穴に螺合される。【選択図】図４
2012208401.tif 000002
【特許請求の範囲】
【請求項１】
標識や掲示板などの標識等（１）を金網フェンス（３）に取り付けるための薄板略円盤形状の標識等取付補助具（１０）であって、
ナット穴（１２）が設けられた補助具本体中心部（１４）と、該補助具本体中心部から周方向に同じ向きで伸長する複数の翼部（１６）と、を有する補助具本体（１８）と、
前記ナット穴に螺合されるボルト（３２）と、からなり、
前記各翼部はその先端から金網フェンスの網目に差し込まれることで金網フェンスに掛け止められ、前記ボルトは標識等に設けた取付孔（５）を通して前記ナット穴に螺合される、ことを特徴とする標識等取付補助具。
【請求項２】
前記補助具本体中心部（１４）にはナット穴（１２）が複数形成されている、ことを特徴とする請求項１に記載の標識等取付補助具。
【請求項３】
前記各翼部（１６）は前記ボルト（３２）の締め込み方向に伸長している、ことを特徴とする請求項１又は２に記載の標識等取付補助具。
【請求項４】
前記各翼部（１６）の少なくとも先端部分が略円盤形状の補助具本体（１８）の厚み方向に若干傾斜して形成されている、ことを特徴とする請求項１、２又は３に記載の標識等取付補助具。
【請求項５】
前記各翼部（１６）が３つ等角度で設けられている、ことを特徴とする請求項１乃至４のいずれか一項に記載の標識等取付補助具。
【請求項６】
前記各翼部（１６）の基端内側部分に金網フェンスからの抜け落ち防止のためのカエシ部（２２）が形成されている、ことを特徴とする請求項１乃至５のいずれか一項に記載の標識等取付補助具。
【発明の詳細な説明】
【技術分野】
【０００１】
本発明は、金網フェンスに標識や掲示板などを取り付ける際に、金網フェンスの表側からのみの作業により容易にその取り付けを行うことを可能とするための標識等取付補助具に関するものである。
【背景技術】
【０００２】
従来、金網フェンス（３）の表側に標識や掲示板など（以下「標識等」という。）を取り付ける場合には、金網フェンスに標識等を取り付けた状態を表側および裏側から見た図である図７および標識等を金網フェンスに取り付ける工程を表した図８に示しように標識等（１）の矩形板の四隅に設けた取付孔（５）にボルト（３２）を通しこれを金網フェンスの網目を通し、金網フェンスの裏側から標識等の上辺の２つのボルトおよび下辺の２つのボルトを、それぞれ押さえ板（４２）を介してナット（４４）で固定することで行われていた。この押さえ板（４２）は標識等（１）の上辺や下辺より若干短い長さをした棒状の金属板であり、その両端にはボルト（３２）の軸を通すための長穴が形成されている。
ここで金網フェンス（３）の網目が細かく手がその網目を通らない場合には、金網フェンスの表側にボルト（３２）の締め付けを行うための作業員が、裏側に押さえ板（４２）を支える作業員が必要となり作業効率が悪いといった問題があった。特に高い金網フェンス（３）が長く設置されている現場では金網フェンスの裏側に作業員が回りこむために多くの時間と手間を要し、また金網フェンスの裏側に安全な足場が確保できない現場などでは標識等の設置作業に危険を伴う等の問題があった。
【０００３】
そのため場合によっては標識等の四隅の取付孔に針金、ヒモ、結束帯などを通し、これを用いて標識等を直接金網に縛り付けることもあった。しかしながらかかる手段による取り付けでは特定の金網のみに荷重がかかるため金網が傷みやすく、また、針金、ヒモ、結束帯などではその耐久性にも不安があった。さらにかかる取付方法では取り付けた標識等の安定性や確実性を欠くこともあった。
【０００４】
標識等の取り付けを容易に行うことを可能とした発明としては、例えば下記特許文献１の「表示板」などが発案されている。
【先行技術文献】
【特許文献】
【０００５】
【特許文献１】特開２０１０−１５２２８９号公報
【発明の概要】
【発明が解決しようとする課題】
【０００６】
しかしながらこの「表示板」は舌状の取り付け部と結束帯を用いて固定するものであり、その取り付けには金網フェンスの表裏両方に作業員が必要となることに変わりはなく、また、取り付けの安定性や耐久性についての問題も残存していた。
【０００７】
本発明は上記問題を解決すべく発案されたものであり、金網フェンスに標識等を取り付ける場合に、金網フェンスの表側から一人の作業員のみによって容易かつ確実にその取り付けを行うことを可能とし、かつ、耐久性にも優れた標識等取付補助具を提供するものである。
【課題を解決するための手段】
【０００８】
上記問題を解決するため本発明は、標識や掲示板などの標識等（１）を金網フェンス（３）に取り付けるための薄板略円盤形状の標識等取付補助具（１０）であって、ナット穴（１２）が設けられた補助具本体中心部（１４）と、該補助具本体中心部から周方向に同じ向きで伸長する複数の翼部（１６）と、を有する補助具本体（１８）と、前記ナット穴に螺合されるボルト（３２）と、からなり、前記各翼部はその先端から金網フェンスの網目に差し込まれることで金網フェンスに掛け止められ、前記ボルトは標識等に設けた取付孔（５）を通して前記ナット穴に螺合される、ことを特徴とする。
【０００９】
ここで、前記補助具本体中心部（１４）にはナット穴（１２）が複数形成されている、ようにすることもできる。
【００１０】
また、前記各翼部（１６）は前記ボルト（３２）の締め込み方向に伸長している、ことが好ましい。
【００１１】
また、前記各翼部（１６）の少なくとも先端部分が略円盤形状の補助具本体（１８）の厚み方向に若干傾斜して形成されている、ことも好ましい。
【００１２】
また、前記各翼部（１６）が３つ等角度で設けられている、ことが好ましい。
【００１３】
さらに、前記各翼部（１６）の基端内側部分に金網フェンスからの抜け落ち防止のためのカエシ部（２２）が形成されている、ことも好ましい。
【発明の効果】
【００１４】
本発明によれば、標識等と金網フェンに取り付ける際、金網フェンスの網目が細かく手がその網目を通らない場合等であっても、標識等取付補助具を用いることで金網フェンスの表側からのみによる取り付け作業が可能となり、作業効率を大幅に向上させることができる。
【００１５】
ここで補助具本体中心部にナット穴を複数形成することで、標識等の四隅に設けた取付孔に通したボルトと金網フェンスに取り付けた補助具本体のいずれか一のナット穴との位置合わせを容易に行うことができるようになる。
【００１６】
また各翼部がボルトの締め込み方向に伸長するようにすることで、ボルトの締め込みに伴い金網フェンスの網目に各翼部が深く挿し込まれ、補助具の取り付けがより強固に行われることとなる。
【００１７】
また、各翼部の先端部分を補助具本体の厚み方向に若干傾斜して形成してやることで、金網フェンスの網目に翼部をその先端から導き入れやすくしてやることができる。
【００１８】
また補助具本体の翼部を３つ等角度（１２０°）で形成することで翼部の数を最適化し、金網フェンスへの取り付けやすさと取り付けの確実性を両立することができる。
【００１９】
さらに各翼部の基端内側部分にカエシ部を形成してやることで、一旦翼部の付け根側まで導き入れた金網フェンスが容易に抜けてしまわないようにすることができる。
【図面の簡単な説明】
【００２０】
【図１】金網フェンスの正面図および斜視図である。
【図２】本発明の標識等取付補助具の第一の実施例を示した図である。
【図３】金網フェンスへの本発明の標識等取付補助具を取り付ける様子を示した図である。
【図４】本発明の標識等取付補助具を用いて標識等を取り付ける様子を示した図である。
【図５】本発明の標識等取付補助具の第二の実施例を示した図である。
【図６】本発明の標識等取付補助具の第二の実施例の変形例である。
【図７】従来の金網フェンスへの標識等の取り付け状態を示した図である。
【図８】従来法により標識等を金網フェンスに取り付ける工程を表した図である。
【発明を実施するための形態】
【００２１】
以下、本発明の実施の形態について図面を参照しながら説明するが、まず本発明の標識等取付補助具が取り付けられる金網フェンスの構造について簡単に説明した後、本願発明について詳細な説明をする。
【００２２】
図１に金網フェンス（ネットフェンス）の代表的な構造を示した。ここで図１（ａ）は金網フェンスの正面図、図１（ｂ）は金網フェンスの斜視図である。
【００２３】
この金網フェンス３の金網は線径が３ｍｍで塩化ビニールを被覆したり亜鉛メッキを施した鉄線６をジグザグに屈曲させ、隣り合う鉄線同士を相互に組み合わせることで一辺が約６ｃｍの若干横長の菱形となる網目を形成したものである。そしてこの金網を図示しないＬ字型断面の鋼材を用いて構成した矩形枠である門扉に取り付けることで金網フェンスが構成されている。また金網フェンスには補強のための筋交いなどがさらに設けられることもある。
【実施例１】
【００２４】
図２は本発明の標識等取付補助具の第一の実施例を示した図であり、（ａ）は平面図、（ｂ）は側面図である。
この標識等取付補助具１０は円盤状の補助具本体１８と、この補助具本体の中心部に設けられたナット穴１２に螺合されるボルト３２とから構成されている。
【００２５】
ボルト３２は一般的な六角形の頭部を有する金属製の六角ボルトであり、そのネジ軸３２ａは長さ３ｃｍ程度の全ネジとなっている。そして金網フェンス３に取り付けられる掲示板や標識の四隅などに予め形成された取付孔５（図８参照）は、ボルト３２のネジ軸３２ａを挿通する一方ボルト頭部３２ｂが通り抜けることができない大きさとなっている。
【００２６】
補助具本体１８は、人力によっても数ミリメートル程度は撓ますことができる強度を有する厚さが３ｍｍ程度の鋼材薄板を用いて製作されている。なお鋼材以外にも高強度の樹脂材料などを用いることももちろん可能である。
この補助具本体１８は、円盤である補助具本体中心部１４の外周から周方向に時計回りで３つの翼部１６が等角度（１２０°）で伸長するように一体的に形成されており、全体としては直径が約２０ｃｍ程度の略円盤形状をしている。
【００２７】
補助具本体中心部１４は約１０ｃｍの直径の円盤であり、本実施例ではその中心にナット穴１２が１つ形成されている。このナット穴１２の内周面にはボルト３２を螺合することができるようにネジ溝が形成されており、ナット穴にはボルトを補助具本体１８に対して垂直に螺合することができるようになっている。このようにナット穴１２を補助具本体１８に形成することで、ボルト・ナットを用いた場合のように標識等の裏側からナットをボルトに螺合してやる手間をなくしてやることができる。
【００２８】
各翼部１６は、翼幅が６ｃｍ程度で、補助具本体中心部１４の外周から一旦放射状に立ち上がったあとにほぼ直角に屈曲して時計回り周方向（ボルト３２ねじ込み方向）に三分の一周弱の長さ（扇の内角が１２０°弱）で伸長するの円弧となっている。すなわち金網フェンス３を構成する金網（鉄線６）を導き入れるために、翼部１６先端部と隣接する翼部１６との間には隙間が設けられ、またこれと一連して補助具本体中心部１４の外周と翼部１６の内周（内側）との間には約４ｃｍ程度の幅の弧状の切れ込みである弧状通路１７が形成されている。
【００２９】
本発明の標識等取付補助具１０を用いた金網フェンス３への標識等１の取り付けは次のように行われる。
【００３０】
まず３つの翼部１６のうちの一つを上側としてその翼部１６の先端を優先的に金網フェンス３の網目に挿し込んでやる（図３（ａ））。このとき他の２つの翼部１６の先端は金網フェンス３の網目に必ずしも挿し込まれていなくてもよい。
【００３１】
次に補助具本体１８をその中心周りに時計方向に回転させてやる。少なくともこのときには、他の２つの翼部１６の先端は金網フェンス３の網目に挿し込まれる必要がある。本実施例の補助具本体１８では翼部１６も人の手の力である程度撓ませることができるため、場合によっては翼部１６を手で撓ませてその先端を金網フェンス３の網目に挿し込んでやる。そして手の力でできるだけ補助具本体１８を時計方向に回転させてやり金網フェンス３の鉄線６を弧状通路１７の奥側に導き入れてやる（図３（ｂ））。
【００３２】
そして図４（ａ）および（ｂ）に示したように以上の動作を取り付ける標識等１の四隅の取付孔５の位置に対応した金網フェンス３の各個所において行うことで、４つの補助具本体１８を金網フェンス３に仮止めしてやる。
【００３３】
次に、標識等１の各取付孔５にボルト３２のネジ軸３２ａを挿通し、金網フェンス３に仮止めした補助具本体１８の補助具本体中心部１４のナット穴１２にゆるく螺合してやる。このとき必要に応じて金網フェンス３に仮止めした補助具本体１８を、その取り付け位置を若干（１〜３ｃｍ程度）上下左右に動かしてやることで、補助具本体のほぼ正面から垂直に各ボルト３２を螺合してやる。
【００３４】
そして４つすべてのボルト３２を補助具本体１８のナット穴１２にゆるく螺合して標識等１を金網フェンス３に仮付けしてやった後に、各ボルト３２をレンチを用いて強く締め込んでやる。ここで各翼部１６はボルト３２の締め込み方向（時計回り）に伸長しているため、ボル２の締め込みに伴い補助具本体１８も時計回りにさらに回転し、金網フェンス３の網目に各翼部１６が深く挿し込まれることになる。特に上側となる翼部１６の弧状通路１７に挿し込んだ金網フェンス３の鉄線６は、弧状通路１７の最深部まで挿し込まれる。
【００３５】
以上のように標識等取付補助具１０を用いることで、金網フェンス３への標識等１の取り付けにおいて、金網フェンスの網目が細かく手がその網目を通らない場合等であっても、金網フェンスの表側から一人の作業員のみによる簡易な取り付け作業が可能となり、作業効率を大幅に向上させることができる。なおボルト３２を締め込むことで補助具本体１８は金網フェンス３の網目にしっかりと取り付けられ、ボルトを緩めない限り標識等１が金網フェンス３から離脱してしまうことはない。
【実施例２】
【００３６】
図５は本発明の標識等取付補助具の第二の実施例を示した図であり、（ａ）は平面図、（ｂ）は側面図である。なお実施例１と共通する構造については同様の符号を付すことで重複した説明は省略する。
【００３７】
図に示したように補助具本体１８にはナット穴１２が複数形成されている。すなわち本実施例の場合、補助具本体中心部１４の中心およびその周囲に複数のナット穴１２が形成されている。この各ナット穴１２の周面にはボルト３２を螺合することができるようにネジ溝が形成されており、いずれのナット穴にボルトを螺合しても補助具本体１８に対してボルトが垂直となるようになっている。このようにナット穴１２を複数形成することで、金網フェンス３に仮止めした補助具本体１８の取り付け位置を上下左右に動かしてやることが困難な場合であっても、標識等１の四隅に設けた取付孔５に通したボルト３２と金網フェンス３に取り付けた補助具本体のいずれか一のナット穴との位置合わせを容易に行うことができるようになる。
【００３８】
また各翼部１６の基端内側部分には２〜３ｃｍ程度の範囲で弧状通路１７を１ｃｍ程度拡幅することとなるカエシ部２２が形成されている。このカエシ部２２は図５（ａ）のように翼部１６への段差の形成により弧状通路１７を拡大するものであってもよいし、図６のように翼部への滑らかなクビレの形成により弧状通路を拡大するものであってもよい。このように各翼部１６の基端部分にカエシ部２２を形成することで、特に金網フェンス３の鉄線６が弧状通路１７の最深部まで挿し込まれた上側の翼部１６において、一旦翼部の付け根側まで導き入れられた金網フェンスの鉄線はこのカエシ部を容易に乗り越えることができないため、不用意に補助具本体１８が金網フェンス３から外れてしまうことはない。
【００３９】
また本実施例の補助具本体１８はその強度を高めるため、実施例１の補助具本体と比して厚手の厚さ５ｍｍ程度の鋼材板を用いて作成されている。そしてその各翼部１６は人力では容易に撓ませることができないため、各翼部が補助具本体１８の厚み方向で金網フェンス３側に同じ角度（２〜３°程度）で傾斜して形成されている。このように各翼部１６を傾斜させることで、金網フェンス３に翼部先端を挿し込みやすくすることができる。なお補助具本体１８の強度を十分に維持しつつ翼部１６を手で十分に撓ますことができるようであれば、この傾斜を設ける必要はない。
【００４０】
以上に説明したように、本発明の標識等取付補助具によれば、金網フェンスにその表側からの作業によって容易かつ確実に標識等を取り付けることができ、例えば高く長い金網フェンスが設置されている現場や金網フェンスの裏側に安全な足場が確保できない現場において非常に便宜である。
【００４１】
なお本発明の標識等取付補助具は上記実施例の形状や大きさに限定されず、本発明の趣旨を逸脱しない範囲で種々改変できることはもちろんである。例えば補助具本体の外形を円盤形状ではなく多角形状としたり、翼部の数を２枚又は４枚以上に変更したりすることも可能である。また補助具本体にナット穴を形成するのではなく、補助具本体裏側からボルトを挿通し、これを標識等の取付孔に通した後に標識等の表面側からナットにより固定してやるようにすることなども可能である。
【産業上の利用可能性】
【００４２】
本発明の標識等取付補助具は標識や掲示板などを金網フェンスに取り付ける際に用いることを前提に発案されたものであるが、標識等に限らず金網フェンスに掛け止めることがある種々の事物にこれを用いることができる。
【符号の説明】
【００４３】
１  標識等
３  金網フェンス
５  取付孔
６  鉄線
１０  標識等取付補助具
１２  ナット穴
１４  補助具本体中心部
１６  翼部
１７  弧状通路
１８  補助具本体
２２  カエシ部
３２  ボルト
３２ａ  ネジ軸
３２ｂ  ボルト頭部
４２  押さえ板
４４  ナット
【図１】
2012208401.tif 000003
【図２】
2012208401.tif 000004
【図３】
2012208401.tif 000005
【図４】
2012208401.tif 000006
【図５】
2012208401.tif 000007
【図６】
2012208401.tif 000008
【図７】
2012208401.tif 000009
【図８】
2012208401.tif 000010